【手続補正書】
【提出日】平成24年10月2日(2012.10.2)
【手続補正１】
【補正対象書類名】特許請求の範囲
【補正対象項目名】全文
【補正方法】変更
【補正の内容】
【特許請求の範囲】
【請求項１】
動物又はヒトの肛門管（２１５）内に挿入するように構成されるバレル（３１０）と、
体内に挿入された状態で身体の内外への少なくとも１つのガス流路（３２０または３２５）を画成し、且つ、前記少なくとも１つのガス流路が維持された状態で前記バレル（３１０）に連結されるように構成されたプランジャ（３１５）と、を備え、
前記プランジャを前記坐薬から引き離しているときに前記少なくとも１つのガス流路（３２５）を維持しながら、前記プランジャ（３１５）が、坐薬（４３０）を肛門管（２１５）または直腸（４４０）内に挿入するために前記バレルの開放端を超えて延在することができる、坐薬を動物又はヒトに挿入するための装置。
【請求項２】
前記プランジャ（３１５）が前記バレル（３１０）に固定的に連結されるように構成されているか、前記プランジャが前記バレルに移動可能に連結されるように構成されているか、または、前記プランジャ（３１５）が前記坐薬（４３０）を前記直腸内に挿入するように構成されている請求項１に記載の装置。
【請求項３】
前記少なくとも１つのガス流路が少なくとも１つの第２のガス流路（３２０）を含み、
前記バレル（３１０）が、体内に挿入された状態で、身体の内外への少なくとも１つの第１のガス流路（３２０）を画成する端部（３０７，３１２）を有し、
前記プランジャ（３１５）が、前記少なくとも１つの第２のガス流路（３２５）を画成し、前記少なくとも１つの第２のガス流路は、前記プランジャ（３１５）が体内に挿入された状態で身体の内外に連通し、
前記プランジャ（３１５）は、前記バレル（３１０）に移動可能に連結された状態で前記少なくとも１つの第１のガス流路（３２０）を維持するように構成され、前記プランジャ（３１５）は、坐薬（４３０）を直腸内に挿入するために前記バレルの開放端を超えて移動可能に延在することができ、かつ、前記坐薬（４３０）を前記直腸（４４０）内に挿入する状態のときに前記少なくとも１つの第１のガス流路を維持し、
前記少なくとも１つの第２のガス流路（３２５）は、前記プランジャ（３１５）を前記坐薬（４３０）から引き離しているときに維持される、請求項１に記載の装置。
【請求項４】
肛門括約筋の収縮を引き起こすことで前記薬剤を保持及び吸収する前記身体の能力に影響を与える、前記坐薬（４３０）又は前記坐薬の薬剤と神経との接触を最小限にするために、前記プランジャ（３１５）の挿入端が、前記坐薬（４３０）を前記直腸（４４０）内の肛門トリガーゾーンより上に挿入するように構成されている請求項３に記載の装置。
【請求項５】
前記プランジャ（３１５）が前記バレル（３１０）に移動可能に連結された状態で前記少なくとも１つの第１のガス流路（３２０）を維持するように構成された少なくとも１つのガス流路スペーサ要素をさらに含み、
前記バレル（３１０）は、前記バレル（３１０）により画成された前記少なくとも１つの第１のガス流路を維持した状態で、前記バレルの内壁から内側に、前記プランジャ（３１５）の外壁に接触するように延在する前記少なくとも１つのガス流路スペーサ要素を含んでもよく、
或いは、前記プランジャ（３１５）は、前記プランジャの外壁から外側に、前記バレル（３１０）により画成された前記少なくとも１つの第１のガス流路（３２０）を維持した状態で、前記バレル（３１０）の内壁に接触するように延在する前記少なくとも１つのガス流路スペーサ要素を含んでもよく、
前記バレル（３１０）は、前記バレル（３１０）により画成された前記少なくとも１つの第１のガス流路（３２０）を維持した状態で内側に延在する少なくとも１つのガス流路スペーサ要素を含んでもよく、
前記プランジャ（３１５）は、前記少なくとも１つの第１のガス流路を維持した状態で外側に延在する少なくとも１つのガス流路スペーサ要素を含む、請求項３に記載の装置。
【請求項６】
前記バレル（３１０）から内側に延在する少なくとも１つのガス流路スペーサ要素と、前記プランジャ（３１５）から外側に延在する少なくとも１つのガス流路スペーサ要素とにより画成された少なくとも２つの流路スペーサ要素をさらに含み、前記少なくとも２つの流路スペーサ要素が、互いに対して移動可能に相互連結するように構成されている請求項３に記載の装置。
【請求項７】
前記バレル（３１０）及び前記プランジャ（３１５）が、前記プランジャ（３１５）が前記バレル（３１０）内に少なくとも部分的に配置された状態で互いの間に少なくとも１つのガス流路（３２０または３２５）を提供するように形成されている請求項３に記載の装置。
【請求項８】
前記バレル（３１０）が、前記バレルを形成するように配置可能な少なくとも２つのサブバレルを含むか、または、前記プランジャ（３１５）が、前記プランジャを形成するように配置可能な少なくとも２つのサブプランジャを含む請求項３に記載の装置。
【請求項９】
前記バレル（３１０）及び前記プランジャ（３１５）が、各々中空の管を画成している請求項３に記載の装置。
【請求項１０】
前記バレルが、中空の管を画成する内壁を含み、且つ、前記少なくとも１つの第１のガス流路（３２０）を画成するための構造により前記内壁に連結された外壁をさらに含む請求項３に記載の装置。
【請求項１１】
前記プランジャ（３１５）が非中空の構造物を画成し、且つ、前記構造物の壁部から外側に延在する少なくとも１つのガス流路スペーサ要素が、前記肛門管（２１５）又は直腸（４４０）と前記プランジャ（３１５）との間の組織を、前記少なくとも１つの第２のガス流路（３２５）を画成するように押すよう構成される請求項３に記載の装置。
【請求項１２】
坐薬（４３０）を少なくとも部分的に前記バレル（３１０）の開放端の内側に支持するように構成された坐薬支持要素をさらに含む請求項３に記載の装置。
【請求項１３】
前記プランジャ（３１５）が坐薬インタフェース端を含み、前記坐薬インタフェース端が、前記坐薬（４３０）の、前記インタフェース端が接触するように構成された部分の幅以上の幅を有するか、
前記プランジャ（３１５）が坐薬インタフェース端を含み、前記坐薬インタフェース端が、前記坐薬の、前記インタフェース端が接触するように構成された部分の幅よりも幅狭であるか、または、
前記プランジャ（３１５）が挿入端及び手指インタフェース端を有し、且つ、前記プランジャ（３１５）が、前記坐薬を自己投与するユーザが前記プランジャ（３１５）を掌又は指腹若しくは指先で前記手指インタフェース端を押すことを可能にする、請求項３に記載の装置。
【請求項１４】
前記バレル（３１０）又はプランジャ（３１５）が、以下の材料、すなわち、プラスチック、ポリカーボネート、エポキシ樹脂、アクリル、シリコン、ゴム、ポリマー、セラミック、金属、厚紙、ガラス、木、又は紙の少なくとも１つから形成される請求項３に記載の装置。
【請求項１５】
肛門管（２１５）から肛門外部への少なくとも１つの第１のガス流路（３２０）を形成するステップと、
坐薬（４３０）を、前記肛門管（２１５）又は直腸（４４０）内の挿入位置に、前記少なくとも１つの第１のガス流路（３２０）を維持し、且つ、前記肛門管（２１５）から前記肛門外部への少なくとも１つの第２のガス流路（３２５）を形成するように挿入するステップと、を含み、
前記少なくとも１つの第１のガス流路及び前記少なくとも１つの第２のガス流路が、前記プランジャ（３１５）を引き出しているときの、前記坐薬（４３０）への吸引及びガスの閉じ込めを最小限にし、それにより、前記肛門管（２１５）又は直腸（４４０）内での坐薬（４３０）の挿入位置を維持することを可能にし、
請求項１から１４のいずれか１項に記載の装置の使用を含む、坐薬（４３０）を動物又はヒトに挿入する方法。